(57)【特許請求の範囲】
【請求項１】
停電時に解錠状態となる電気錠を備える電気錠システムであって、
前記電気錠が施錠状態であることを検知するための施錠検知部と、停電を検知するための停電検知部と、停電時に前記電気錠に電力を供給するための充電部と、前記電気錠および前記充電部に電力を供給するための電力供給部と、前記電力供給部から前記電気錠に電力が供給可能な第１状態と前記充電部から前記電気錠に電力が供給可能な第２状態とに切り替わる切替部と、空芯状に巻回され電源に接続される給電コイルと、前記充電部の充電が完了していることを検知するための充電検知部とを備え、
前記電気錠は、瞬時通電時施解錠型の電気錠またはモータ施解錠型の電気錠であり、
前記停電検知部によって停電が検知されていない通常時には、前記切替部は前記第１状態となっており、前記電気錠が解錠状態から施錠状態にまたは施錠状態から解錠状態に切り替わるときに、前記電力供給部から前記電気錠に電力が供給され、
前記停電検知部での検知結果に基づいて停電が検知されるとともに、前記施錠検知部での検知結果に基づいて前記電気錠が施錠状態であることが検知されると、前記切替部が前記第１状態から前記第２状態に切り替わり、前記充電部から前記電気錠に電力が供給されて、前記電気錠が解錠状態になり、
前記電力供給部は、空芯状に巻回され前記給電コイルと所定の隙間を介して対向配置される受電コイルであり、
非接触電力伝送によって前記給電コイルから前記受電コイルに電力が伝送され、
前記切替部は、前記充電部の充電完了前には前記受電コイルと前記充電部とを電気的に接続し、前記充電部の充電が完了すると前記受電コイルと前記充電部とを電気的に遮断し、
前記充電部の充電完了前の前記電気錠の動作時には、前記給電コイルから前記受電コイルに、前記電気錠を動作させるために必要な電力と前記充電部を充電するために必要な電力とが伝送され、
前記充電部の充電完了後の前記電気錠の動作時には、前記給電コイルから前記受電コイルに、前記電気錠を動作させるために必要な電力が伝送されることを特徴とする電気錠システム。
【請求項２】
停電時に施錠状態となる電気錠を備える電気錠システムであって、
前記電気錠が解錠状態であることを検知するための解錠検知部と、停電を検知するための停電検知部と、停電時に前記電気錠に電力を供給するための充電部と、前記電気錠および前記充電部に電力を供給するための電力供給部と、前記電力供給部から前記電気錠に電力が供給可能な第１状態と前記充電部から前記電気錠に電力が供給可能な第２状態とに切り替わる切替部と、空芯状に巻回され電源に接続される給電コイルと、前記充電部の充電が完了していることを検知するための充電検知部とを備え、
前記電気錠は、瞬時通電時施解錠型の電気錠またはモータ施解錠型の電気錠であり、
前記停電検知部によって停電が検知されていない通常時には、前記切替部は前記第１状態となっており、前記電気錠が解錠状態から施錠状態にまたは施錠状態から解錠状態に切り替わるときに、前記電力供給部から前記電気錠に電力が供給され、
前記停電検知部での検知結果に基づいて停電が検知されるとともに、前記解錠検知部での検知結果に基づいて前記電気錠が解錠状態であることが検知されると、前記切替部が前記第１状態から前記第２状態に切り替わり、前記充電部から前記電気錠に電力が供給されて、前記電気錠が施錠状態になり、
前記電力供給部は、空芯状に巻回され前記給電コイルと所定の隙間を介して対向配置される受電コイルであり、
非接触電力伝送によって前記給電コイルから前記受電コイルに電力が伝送され、
前記切替部は、前記充電部の充電完了前には前記受電コイルと前記充電部とを電気的に接続し、前記充電部の充電が完了すると前記受電コイルと前記充電部とを電気的に遮断し、
前記充電部の充電完了前の前記電気錠の動作時には、前記給電コイルから前記受電コイルに、前記電気錠を動作させるために必要な電力と前記充電部を充電するために必要な電力とが伝送され、
前記充電部の充電完了後の前記電気錠の動作時には、前記給電コイルから前記受電コイルに、前記電気錠を動作させるために必要な電力が伝送されることを特徴とする電気錠システム。
【請求項３】
前記充電部の充電完了前の前記電気錠の非動作時には、前記給電コイルから前記受電コイルに、前記充電部を充電するために必要な電力が伝送され、
前記充電部の充電完了後の前記電気錠の非動作時には、前記給電コイルから前記受電コイルへの電力伝送が停止されていることを特徴とする請求項１または２記載の電気錠システム。
【発明の詳細な説明】
【技術分野】
【０００１】
本発明は、電気錠を備える電気錠システムに関する。
【背景技術】
【０００２】
従来、通電時施錠型の電気錠が知られている（たとえば、特許文献１参照）。特許文献１に記載の電気錠は、電力が供給されると施錠状態となり、電力の供給が停止されると解錠状態になる。そのため、この電気錠は、停電が発生して電気錠に電力が供給されなくなると、自動的に解錠状態になる。また、従来、通電時解錠型の電気錠も知られている。この電気錠は、電力が供給されると解錠状態となり、電力の供給が停止されると施錠状態になる。そのため、この電気錠は、停電が発生して電気錠に電力が供給されなくなると、自動的に施錠状態になる。
【先行技術文献】
【特許文献】
【０００３】
【特許文献１】特開２００８−２１４８７２号公報
【発明の概要】
【発明が解決しようとする課題】
【０００４】
上述のように、通電時施錠型の電気錠には、停電が発生して電気錠に電力が供給されない状態になると電気錠が自動的に解錠状態になるといった利点がある。また、通電時解錠型の電気錠には、停電が発生して電気錠に電力が供給されない状態になると電気錠が自動的に施錠状態になるといった利点がある。しかしながら、通電時施錠型の電気錠の場合、施錠状態のときに常に電力が消費されているため、消費電力が大きくなる。また、通電時解錠型の電気錠の場合、解錠状態のときに常に電力が消費されているため、消費電力が大きくなる。
【０００５】
そこで、本発明の第１の課題は、通電時施錠型の電気錠の利点を有しながら消費電力を抑制することが可能な電気錠システムを提供することにある。また、本発明の第２の課題は、通電時解錠型の電気錠の利点を有しながら消費電力を抑制することが可能な電気錠システムを提供することにある。
【課題を解決するための手段】
【０００６】
上記の第１の課題を解決するため、本発明の電気錠システムは、停電時に解錠状態となる電気錠を備える電気錠システムであって、電気錠が施錠状態であることを検知するための施錠検知部と、停電を検知するための停電検知部と、停電時に電気錠に電力を供給するための充電部と、電気錠および充電部に電力を供給するための電力供給部と、電力供給部から電気錠に電力が供給可能な第１状態と充電部から電気錠に電力が供給可能な第２状態とに切り替わる切替部と、空芯状に巻回され電源に接続される給電コイルと、充電部の充電が完了していることを検知するための充電検知部とを備え、電気錠は、瞬時通電時施解錠型の電気錠またはモータ施解錠型の電気錠であり、停電検知部によって停電が検知されていない通常時には、切替部は第１状態となっており、電気錠が解錠状態から施錠状態にまたは施錠状態から解錠状態に切り替わるときに、電力供給部から電気錠に電力が供給され、停電検知部での検知結果に基づいて停電が検知されるとともに、施錠検知部での検知結果に基づいて電気錠が施錠状態であることが検知されると、切替部が第１状態から第２状態に切り替わり、充電部から電気錠に電力が供給されて、電気錠が解錠状態になり、電力供給部は、空芯状に巻回され給電コイルと所定の隙間を介して対向配置される受電コイルであり、非接触電力伝送によって給電コイルから受電コイルに電力が伝送され、切替部は、充電部の充電完了前には受電コイルと充電部とを電気的に接続し、充電部の充電が完了すると受電コイルと充電部とを電気的に遮断し、充電部の充電完了前の電気錠の動作時には、給電コイルから受電コイルに、電気錠を動作させるために必要な電力と充電部を充電するために必要な電力とが伝送され、充電部の充電完了後の電気錠の動作時には、給電コイルから受電コイルに、電気錠を動作させるために必要な電力が伝送されることを特徴とする。
【０００７】
本発明の電気錠システムは、電力供給部から電気錠に電力が供給可能な第１状態と充電部から電気錠に電力が供給可能な第２状態とに切り替わる切替部を備えている。また、本発明では、停電検知部での検知結果に基づいて停電が検知されるとともに、施錠検知部での検知結果に基づいて電気錠が施錠状態であることが検知されると、切替部が第１状態から第２状態に切り替わり、充電部から電気錠に電力が供給されて、電気錠が解錠状態になる。すなわち、本発明では、停電が検知されるとともに電気錠が施錠状態であることが検知されると、ユーザが何らかの操作を行わなくても、切替部が自動的に第１状態から第２状態に切り替わって充電部から電気錠に電力が供給され、停電が発生したときに施錠状態であった電気錠が停電後の短時間で解錠状態になる。そのため、本発明の電気錠システムには、停電が発生して電気錠に電力が供給されない状態になったときに電気錠が自動的に解錠状態になるといった通電時施錠型の電気錠の利点がある。また、本発明では、電気錠は、瞬時通電時施解錠型の電気錠またはモータ施解錠型の電気錠であり、電気錠が解錠状態から施錠状態にまたは施錠状態から解錠状態に切り替わるときに電力が消費される。そのため、本発明では、電気錠システムの消費電力を抑制することが可能になる。このように、本発明の電気錠システムでは、通電時施錠型の電気錠の利点を有しながら電気錠システムの消費電力を抑制することが可能になる。
【０００８】
また、本発明では、停電検知部によって停電が検知されていない通常時の、電気錠が解錠状態から施錠状態にまたは施錠状態から解錠状態に切り替わるときには、電力供給部から電気錠に電力が供給されている。また、停電が検知されるとともに電気錠が施錠状態であることが検知されたときに、充電部から電気錠に電力が供給されている。そのため、本発明では、充電部の充放電の頻度が低い。したがって、本発明では、充電部の寿命を延ばすことが可能になる。
【０００９】
また、上記の第２の課題を解決するため、本発明の電気錠システムは、停電時に施錠状態となる電気錠を備える電気錠システムであって、電気錠が解錠状態であることを検知するための解錠検知部と、停電を検知するための停電検知部と、停電時に電気錠に電力を供給するための充電部と、電気錠および充電部に電力を供給するための電力供給部と、電力供給部から電気錠に電力が供給可能な第１状態と充電部から電気錠に電力が供給可能な第２状態とに切り替わる切替部と、空芯状に巻回され電源に接続される給電コイルと、充電部の充電が完了していることを検知するための充電検知部とを備え、電気錠は、瞬時通電時施解錠型の電気錠またはモータ施解錠型の電気錠であり、停電検知部によって停電が検知されていない通常時には、切替部は第１状態となっており、電気錠が解錠状態から施錠状態にまたは施錠状態から解錠状態に切り替わるときに、電力供給部から電気錠に電力が供給され、停電検知部での検知結果に基づいて停電が検知されるとともに、解錠検知部での検知結果に基づいて電気錠が解錠状態であることが検知されると、切替部が第１状態から第２状態に切り替わり、充電部から電気錠に電力が供給されて、電気錠が施錠状態になり、電力供給部は、空芯状に巻回され給電コイルと所定の隙間を介して対向配置される受電コイルであり、非接触電力伝送によって給電コイルから受電コイルに電力が伝送され、切替部は、充電部の充電完了前には受電コイルと充電部とを電気的に接続し、充電部の充電が完了すると受電コイルと充電部とを電気的に遮断し、充電部の充電完了前の電気錠の動作時には、給電コイルから受電コイルに、電気錠を動作させるために必要な電力と充電部を充電するために必要な電力とが伝送され、充電部の充電完了後の電気錠の動作時には、給電コイルから受電コイルに、電気錠を動作させるために必要な電力が伝送されることを特徴とする。
【００１０】
本発明の電気錠システムは、電力供給部から電気錠に電力が供給可能な第１状態と充電部から電気錠に電力が供給可能な第２状態とに切り替わる切替部を備えている。また、本発明では、停電検知部での検知結果に基づいて停電が検知されるとともに、解錠検知部での検知結果に基づいて電気錠が解錠状態であることが検知されると、切替部が第１状態から第２状態に切り替わり、充電部から電気錠に電力が供給されて、電気錠が施錠状態になる。すなわち、本発明では、停電が検知されるとともに電気錠が解錠状態であることが検知されると、ユーザが何らかの操作を行わなくても、切替部が自動的に第１状態から第２状態に切り替わって充電部から電気錠に電力が供給され、停電が発生したときに解錠状態であった電気錠が停電後の短時間で施錠状態になる。そのため、本発明の電気錠システムには、停電が発生して電気錠に電力が供給されない状態になったときに電気錠が自動的に施錠状態になるといった通電時解錠型の電気錠の利点がある。また、本発明では、電気錠は、瞬時通電時施解錠型の電気錠またはモータ施解錠型の電気錠であり、電気錠が解錠状態から施錠状態にまたは施錠状態から解錠状態に切り替わるときに電力が消費される。そのため、本発明では、電気錠システムの消費電力を抑制することが可能になる。このように、本発明の電気錠システムでは、通電時解錠型の電気錠の利点を有しながら電気錠システムの消費電力を抑制することが可能になる。
【００１１】
また、本発明では、停電検知部によって停電が検知されていない通常時の、電気錠が解錠状態から施錠状態にまたは施錠状態から解錠状態に切り替わるときには、電力供給部から電気錠に電力が供給されている。また、停電が検知されるとともに電気錠が解錠状態であることが検知されたときに、充電部から電気錠に電力が供給されている。そのため、本発明では、充電部の充放電の頻度が低い。したがって、本発明では、充電部の寿命を延ばすことが可能になる。
【００１２】
また、本発明では、電気錠システムは、空芯状に巻回され電源に接続される給電コイルを備えるとともに、電力供給部として、空芯状に巻回され給電コイルと所定の隙間を介して対向配置される受電コイルを備え、非接触電力伝送によって給電コイルから受電コイルに電力が伝送されるため、電気錠が取り付けられる建具と建具枠との間で配線を引き回す必要がない。したがって、電気錠システムの施工が容易になる。一方で、非接触電力伝送によって電力が供給される場合には、配線を利用して電力が供給される場合と比較して、電力の伝送効率が低くなるため、電気錠や充電部に供給される電力量が同じであっても、電気錠システムの消費電力は大きくなりやすい。しかしながら、本発明では、電気錠が瞬時通電時施解錠型の電気錠またはモータ施解錠型の電気錠であり、電気錠が解錠状態から施錠状態にまたは施錠状態から解錠状態に切り替わるときに電力が消費されるため、非接触電力伝送によって電力が供給されても、電気錠システムの消費電力を抑制することが可能になる。
【００１３】
また、本発明では、電気錠システムは、充電部の充電が完了していることを検知するための充電検知部を備え、切替部は、充電部の充電完了前には受電コイルと充電部とを電気的に接続し、充電部の充電が完了すると受電コイルと充電部とを電気的に遮断し、充電部の充電完了前の電気錠の動作時には、給電コイルから受電コイルに、電気錠を動作させるために必要な電力と充電部を充電するために必要な電力とが伝送され、充電部の充電完了後の電気錠の動作時には、給電コイルから受電コイルに、電気錠を動作させるために必要な電力が伝送される。そのため、電気錠の動作時に給電コイルから受電コイルに伝送される電力を必要最小限にすることが可能になる。したがって、非接触電力伝送によって電力が供給されても、電気錠システムの消費電力を効果的に抑制することが可能になる。
【００１４】
本発明において、充電部の充電完了前の電気錠の非動作時には、給電コイルから受電コイルに、充電部を充電するために必要な電力が伝送され、充電部の充電完了後の電気錠の非動作時には、給電コイルから受電コイルへの電力伝送が停止されていることが好ましい。このように構成すると、非接触電力伝送によって電力が供給されても、電気錠システムの消費電力を効果的に抑制することが可能になる。
【発明の効果】
【００１５】
以上のように、本発明の電気錠システムでは、通電時施錠型の電気錠の利点を有しながら電気錠システムの消費電力を抑制することが可能になる。あるいは、本発明の電気錠システムでは、通電時解錠型の電気錠の利点を有しながら電気錠システムの消費電力を抑制することが可能になる。
【図面の簡単な説明】
【００１６】
【図１】本発明の実施の形態にかかる電気錠システムの構成を説明するための概略図である。
【図２】図１に示す電気錠システムの電気的な構成を説明するためのブロック図である。
【発明を実施するための形態】
【００１７】
以下、図面を参照しながら、本発明の実施の形態を説明する。
【００１８】
（電気錠システムの構成）
図１は、本発明の実施の形態にかかる電気錠システム１の構成を説明するための概略図である。図２は、図１に示す電気錠システム１の電気的な構成を説明するためのブロック図である。
【００１９】
本形態の電気錠システム１は、扉（開き戸）２が開かないように扉２をロックするためのシステムであり、電気錠３と、電気錠３に電力を供給する給電装置４と、電気錠システム１を制御するシステム制御部５とを備えている。また、電気錠システム１は、扉２の開閉状態を検知するための扉開閉センサ（図示省略）を備えている。扉２には、ドアノブ２ａが取り付けられている。
【００２０】
電気錠３は、瞬時通電時施解錠型の電気錠である。すなわち、電気錠３が解錠状態から施錠状態にまたは施錠状態から解錠状態に切り替わるときに、電気錠３に電力が供給され、解錠状態から施錠状態への切替後または施錠状態から解錠状態への切替後には、電気錠３への電力の供給が停止されている。電気錠３は、デッドボルト（図示省略）と、デッドボルトを駆動するソレノイド７とを備えている。また、電気錠３は、電気錠３が施錠状態であることを検知するための施錠センサ８と、電気錠３が解錠状態であることを検知するための解錠センサ９とを備えている。電気錠３は、扉２に内蔵されている。本形態の施錠センサ８は、施錠検知部であり、解錠センサ９は、解錠検知部である。
【００２１】
給電装置４は、非接触電力伝送によって電気錠３（具体的には、ソレノイド７）に電力を供給する非接触式の給電装置である。この給電装置４は、給電コイル１２を有する給電部１３と、受電コイル１４を有する受電部１５とを備えている。受電部１５は、扉２に内蔵されている。給電部１３は、扉２が回動可能に取り付けられる外枠の内部、または、この外枠が固定される壁の内部に配置されている。給電コイル１２および受電コイル１４は、空芯状に巻回された空芯コイルである。
【００２２】
給電部１３は、給電コイル１２に加えて、給電部１３を制御する給電制御部１７と、給電コイル１２に電流を供給する駆動回路１８と、受電部１５と情報の通信を行うための送受信回路１９と、停電を検知するための停電検知回路２０とを備えている。給電制御部１７は、所定の配線を介してシステム制御部５に接続されており、給電制御部１７とシステム制御部５との間では情報の通信が行われる。
【００２３】
送受信回路１９は、給電制御部１７に接続されている。給電制御部１７は、電力変換回路２１およびＡＤコンバータ２２を介して電源２３（具体的には、交流電源）に接続されており、給電制御部１７には、電力変換回路２１およびＡＤコンバータ２２を介して電源２３から電力が供給されている。電力変換回路２１は、ＡＤコンバータ２２を介して電源２３から供給される電力を制御用の電力に変換する。また、給電制御部１７は、コンデンサ等の充電部を備えており、停電時には、この充電部から供給される電力で給電制御部１７が所定の制御を行う。
【００２４】
駆動回路１８は、給電コイル１２に接続されるとともに、ＡＤコンバータ２２を介して電源２３に接続されている。すなわち、給電コイル１２は、駆動回路１８およびＡＤコンバータ２２を介して電源２３に接続されている。また、駆動回路１８は、給電制御部１７に接続されている。給電制御部１７から出力される電流供給信号が駆動回路１８に入力されると、駆動回路１８は、給電コイル１２に電流を供給する。
【００２５】
停電検知回路２０は、給電制御部１７に接続されており、給電制御部１７には、停電検知回路２０から出力される停電検知信号が入力される。また、停電検知回路２０は、ＡＤコンバータ２２を介して電源２３に接続されている。この停電検知回路２０は、ＡＤコンバータ２２を介して接続される電源２３の電圧を監視している。また、停電検知回路２０は、電源２３の電圧が所定の基準値以下になると、停電が発生したと判断する。すなわち、電源２３の電圧が所定の基準値以下になると、停電検知回路２０によって停電が検知される。あるいは、停電検知回路２０は、電源２３の電圧が所定の基準値以下になった状態が所定の基準時間、継続すると、停電が発生したと判断する。すなわち、電源２３の電圧が所定の基準値以下になった状態が所定の基準時間、継続すると、停電検知回路２０によって停電が検知される。本形態の停電検知回路２０は、停電検知部である。
【００２６】
受電部１５は、受電コイル１４に加えて、受電部１５を制御する受電制御部２７と、ソレノイド７に電流を供給してソレノイド７を駆動する駆動回路２８と、給電部１３と情報の通信を行うための送受信回路２９とを備えている。また、受電部１５は、停電時に電気錠３に電力を供給するための充電部３０と、充電部３０の充電が完了していることを検知するための充電検知回路３１とを備えている。さらに、受電部１５は、受電コイル１４から電気錠３に電力が供給可能な第１状態と、充電部３０から電気錠３に電力が供給可能な第２状態とに切り替わる切替回路３２を備えている。本形態の受電コイル１４は、電気錠３および充電部３０に電力を供給するための電力供給部である。また、本形態の充電検知回路３１は、充電検知部であり、切替回路３２は、切替部である。
【００２７】
受電コイル１４は、扉２が閉じている状態において、給電コイル１２と所定の隙間を介して対向配置されている。給電装置４では、扉２が閉じているときに給電コイル１２に電流が供給されると、非接触電力伝送によって給電コイル１２から受電コイル１４に電力が伝送される。本形態では、磁界結合方式によって給電コイル１２から受電コイル１４に電力が伝送される。受電制御部２７には、施錠センサ８および解錠センサ９が接続されており、施錠センサ８から出力される施錠検知信号および解錠センサ９から出力される解錠検知信号が入力される。また、受電制御部２７には、上述の扉開閉センサが接続されており、扉開閉センサから出力される扉開閉信号が入力される。
【００２８】
送受信回路２９は、受電制御部２７に接続されている。送受信回路１９と送受信回路２９との間では、扉２が閉じている状態において、非接触で情報の通信が行われる。たとえば、送受信回路１９と送受信回路２９との間では、赤外線通信によって情報の通信が行われる。送受信回路１９から送受信回路２９へは、ソレノイド７の駆動信号および停電検知信号等が送信され、送受信回路２９から送受信回路１９へは、施錠検知信号、解錠検知信号、扉開閉信号および後述の充電完了信号等が送信される。すなわち、送受信回路１９、２９を介して、給電制御部１７から受電制御部２７へソレノイド７の駆動信号および停電検知信号等が送信され、受電制御部２７から給電制御部１７へ施錠検知信号、解錠検知信号、扉開閉信号および充電完了信号等が送信される。
【００２９】
なお、上述のように、給電制御部１７は、システム制御部５に接続されており、給電制御部１７には、システム制御部５から出力されるソレノイド７の駆動信号等が入力される。具体的には、電気錠３を解錠状態から施錠状態にするためのソレノイド７の駆動信号、および、電気錠３を施錠状態に解錠状態からするためのソレノイド７の駆動信号等がシステム制御部５から出力されて給電制御部１７に入力される。また、給電制御部１７は、施錠検知信号、解錠検知信号および扉開閉信号等をシステム制御部５へ出力する。
【００３０】
充電部３０は、二次電池（蓄電池）またはコンデンサである。本形態の充電部３０の充電容量は比較的小さくなっており、充電部３０には、ソレノイド７を１回駆動するために必要な電力（すなわち、電気錠３を施錠状態から解錠状態にするために、あるいは、解錠状態から施錠状態にするために必要な電力）が充電されている。充電部３０は、切替回路３２に接続されている。充電検知回路３１は、受電制御部２７に接続されるとともに、充電部３０に接続されている。受電制御部２７には、充電検知回路３１から出力される充電完了信号が入力される。
【００３１】
切替回路３２は、受電コイル１４および充電部３０に接続されている。また、切替回路３２は、後述の電力変換回路３５を介して駆動回路２８に接続されている。さらに、切替回路３２は、受電制御部２７に接続されており、上述の第１状態から第２状態に切替回路３２を切り替えるための切替信号が受電制御部２７から出力されて、切替回路３２に入力される。切替回路３２は、充電部３０の充電完了前には受電コイル１４と充電部３０とを電気的に接続し、充電部３０の充電が完了すると受電コイル１４と充電部３０とを電気的に遮断する。本形態では、受電コイル１４と充電部３０とが電気的に接続されるときには、充電部３０は、駆動回路２８および後述の電力変換回路３５を介してソレノイド７に電気的に接続されている。一方、受電コイル１４と充電部３０とが電気的に遮断されているときには、充電部３０は、ソレノイド７と電気的に遮断されている。
【００３２】
受電制御部２７は、電力変換回路３４および切替回路３２を介して受電コイル１４に接続されており、受電制御部２７には、電力変換回路３４および切替回路３２を介して受電コイル１４から電力が供給可能となっている。電力変換回路３４は、受電コイル１４から供給される電力を制御用の電力に変換する。また、受電制御部２７は、コンデンサ等の充電部を備えており、停電時には、この充電部から供給される電力で受電制御部２７が所定の制御を行う。なお、本形態では、受電制御部２７に、充電部３０からも電力が供給可能となっている。
【００３３】
駆動回路２８は、ソレノイド７に接続されるとともに、電力変換回路３５を介して切替回路３２に接続されている。電力変換回路３５は、受電コイル１４または充電部３０から供給される電力をソレノイド駆動用の電力に変換する。また、駆動回路２８は、受電制御部２７に接続されている。受電制御部２７から出力される駆動信号が駆動回路２８に入力されると、駆動回路２８は、ソレノイド７を駆動する。
【００３４】
（電気錠システムの動作）
電気錠システム１では、停電検知回路２０によって停電が検知されていない通常時には、切替回路３２は、受電コイル１４から電気錠３に電力が供給可能な第１状態となっている。具体的には、充電部３０の充電完了前の切替回路３２では、ソレノイド７と受電コイル１４とが電気的に接続されるとともに、受電コイル１４と充電部３０とが電気的に接続され、かつ、ソレノイド７と充電部３０とが電気的に接続されている。また、充電部３０の充電完了後の切替回路３２では、ソレノイド７と受電コイル１４とが電気的に接続されるとともに、受電コイル１４と充電部３０とが電気的に遮断され、かつ、ソレノイド７と充電部３０とが電気的に遮断されている。ただし、充電部３０の充電が完了するまでの時間は短時間であるため、切替回路３２が第１状態であるときには、通常、ソレノイド７と受電コイル１４とが電気的に接続されるとともに、受電コイル１４と充電部３０とが電気的に遮断され、かつ、ソレノイド７と充電部３０とが電気的に遮断されている。
【００３５】
この状態で、電気錠３を動作させるために、システム制御部５がソレノイド７の駆動信号を出力し、このソレノイド７の駆動信号が給電制御部１７に入力されると、給電制御部１７から駆動回路１８に電流供給信号が入力されて、給電コイル１２に電流が供給される。給電コイル１２に電流が供給されると、給電コイル１２から受電コイル１４に電力が伝送される。
【００３６】
また、給電制御部１７に入力されたソレノイド７の駆動信号は、送受信回路１９、２９を介して、給電制御部１７から受電制御部２７へ送信される。ソレノイド７の駆動信号を受信した受電制御部２７は、駆動回路２８に駆動信号を出力し、駆動信号が入力された駆動回路２８は、ソレノイド７を駆動する。また、ソレノイド７が動作すると、電気錠３が解錠状態から施錠状態にまたは施錠状態から解錠状態に切り替わる。上述のように、停電検知回路２０によって停電が検知されていない通常時には切替回路３２が第１状態となっているため、ソレノイド７には、受電コイル１４から電力が供給される。すなわち、停電検知回路２０によって停電が検知されていない通常時には、電気錠３が解錠状態から施錠状態にまたは施錠状態から解錠状態に切り替わるときに、受電コイル１４から電気錠３に電力が供給される。
【００３７】
本形態では、停電検知回路２０によって停電が検知されていない通常時における電気錠３の動作時に充電部３０の充電が行われており、充電部３０の充電完了前の電気錠３の動作時には、給電コイル１２から受電コイル１４に、電気錠３を動作させる（すなわち、ソレノイド７を動作させる）ために必要な電力と充電部３０を充電するために必要な電力とが伝送される。また、停電検知回路２０によって停電が検知されていない通常時における充電部３０の充電完了後の電気錠３の動作時には、給電コイル１２から受電コイル１４に、電気錠３を動作させるために必要な電力が伝送される。
【００３８】
給電コイル１２から受電コイル１４に伝送される電力量は、給電コイル１２に供給される電流によって変動する。また、給電コイル１２に供給される電流は、駆動回路１８に入力される電流供給信号によって変動する。本形態では、上述のように、送受信回路１９、２９を介して、受電制御部２７から給電制御部１７に充電完了信号が送信されており、給電制御部１７は、充電完了信号に基づいて電流供給信号を生成し、生成した電流供給信号を駆動回路１８に出力する。また、駆動回路１８は、電流供給信号に応じた電流を給電コイル１２に供給する。
【００３９】
なお、電気錠３の動作時に充電部３０の充電が行われるのに加えて、あるいは、電気錠３の動作時に充電部３０の充電が行われるのに代えて、電気錠３が動作しないとき（すなわち、電気錠３の非動作時）に、充電部３０の充電が行われても良い。すなわち、電気錠３の非動作時に、給電コイル１２から受電コイル１４に、充電部３０を充電するために必要な電力が伝送されても良い。この場合には、充電部３０の充電が完了すると、給電コイル１２から受電コイル１４への電力伝送が停止される。すなわち、充電部３０の充電後の電気錠３の非動作時には、給電コイル１２から受電コイル１４への電力伝送が停止されている。
【００４０】
また、電気錠システム１では、停電検知回路２０での検知結果に基づいて停電が検知されるとともに、施錠センサ８での検知結果に基づいて電気錠３が施錠状態であることが検知されると、切替回路３２が、充電部３０から電気錠３に電力が供給可能な第２状態に自動的に切り替わり、充電部３０から電気錠３に電力が供給されて、電気錠３が解錠状態になる。具体的には、まず、停電が検知されると、給電制御部１７に入力された停電検知信号が送受信回路１９、２９を介して受電制御部２７へ送信される。停電検知信号を受信した受電制御部２７は、電気錠３が施錠状態であるのか否かを判別し、電気錠３が施錠状態であると、切替回路３２に切替信号を出力するとともに、駆動回路２８に駆動信号を出力する。
【００４１】
切替信号が入力された切替回路３２は、充電部３０から電気錠３に電力が供給されるように、ソレノイド７と充電部３０とが電気的に遮断された状態からソレノイド７と充電部３０とが電気的に接続される状態へ接続状態を切り替える。また、駆動回路２８は、充電部３０から供給される電力によって、ソレノイド７を駆動して、施錠状態から解錠状態に電気錠３を切り替える。なお、停電検知回路２０での検知結果に基づいて停電が検知されても、解錠センサ９での検知結果に基づいて電気錠３が解錠状態であることが検知されると、切替回路３２は第１状態のままであり、電気錠３に電力は供給されない。
【００４２】
（本形態の主な効果）
以上説明したように、本形態では、停電検知回路２０での検知結果に基づいて停電が検知されるとともに、施錠センサ８での検知結果に基づいて電気錠３が施錠状態であることが検知されると、ユーザが何らかの操作を行わなくても、切替回路３２が、充電部３０から電気錠３に電力が供給可能な第２状態に自動的に切り替わり、充電部３０から電気錠３に電力が供給されて、電気錠３が解錠状態になる。すなわち、本形態では、停電が検知されるとともに電気錠３が施錠状態であることが検知されると、停電が発生したときに施錠状態であった電気錠３がすぐに動作して、停電後、短時間で電気錠３が解錠状態になる。そのため、本形態の電気錠システム１には、停電が発生して電気錠３に電力が供給されない状態になったときに電気錠３が自動的に解錠状態になるといった通電時施錠型の電気錠の利点がある。また、本形態では、電気錠３は、瞬時通電時施解錠型の電気錠であり、電気錠３が解錠状態から施錠状態にまたは施錠状態から解錠状態に切り替わるときに電力が消費される。そのため、本形態では、電気錠システム１の消費電力を抑制することが可能になる。このように、本形態の電気錠システム１では、通電時施錠型の電気錠の利点を有しながら電気錠システム１の消費電力を抑制することが可能になる。
【００４３】
本形態では、停電が検知されるとともに電気錠３が施錠状態であることが検知されたときに、充電部３０から電気錠３に電力が供給されている。そのため、本形態では、充電部３０の充放電の頻度が低い。したがって、本形態では、充電部３０の寿命を延ばすことが可能になる。
【００４４】
本形態では、非接触電力伝送によって給電コイル１２から受電コイル１４に電力が伝送されている。そのため、本形態では、扉２と、扉２が回動可能に取り付けられる外枠との間で配線を引き回す必要がない。したがって、本形態では、電気錠システム１の施工が容易になる。一方で、非接触電力伝送によって電力が供給される場合には、配線を利用して電力が供給される場合と比較して、電力の伝送効率が低くなるため、電気錠３や充電部３０に供給される電力量が同じであっても、電気錠システム１の消費電力は大きくなりやすい。しかしながら、本形態では、電気錠３が瞬時通電時施解錠型の電気錠であり、電気錠３が解錠状態から施錠状態にまたは施錠状態から解錠状態に切り替わるときに電力が消費されるため、非接触電力伝送によって電力が供給されても、電気錠システム１の消費電力を抑制することが可能になる。
【００４５】
本形態では、充電部３０の充電完了前の電気錠３の動作時に、給電コイル１２から受電コイル１４に、電気錠３を動作させるために必要な電力と充電部３０を充電するために必要な電力とが伝送され、充電部３０の充電完了後の電気錠３の動作時に、給電コイル１２から受電コイル１４に、電気錠３を動作させるために必要な電力が伝送されている。すなわち、本形態では、電気錠３の動作時に、必要最小限の電力が給電コイル１２から受電コイル１４に伝送されている。そのため、本形態では、非接触電力伝送によって電力が供給されても、電気錠システム１の消費電力を効果的に抑制することが可能になる。
【００４６】
なお、上述のように、電気錠３の非動作時に、給電コイル１２から受電コイル１４に、充電部３０を充電するために必要な電力が伝送されても良く、この場合には、充電部３０の充電が完了すると、給電コイル１２から受電コイル１４への電力伝送が停止される。そのため、この場合でも、電気錠システム１の消費電力を効果的に抑制することが可能になる。
【００４７】
（他の実施の形態）
上述した形態は、本発明の好適な形態の一例ではあるが、これに限定されるものではなく本発明の要旨を変更しない範囲において種々変形実施が可能である。
【００４８】
上述した形態では、停電検知回路２０での検知結果に基づいて停電が検知されるとともに、施錠センサ８での検知結果に基づいて電気錠３が施錠状態であることが検知されると、切替回路３２が、充電部３０から電気錠３に電力が供給可能な第２状態に切り替わり、充電部３０から電気錠３に電力が供給されて、電気錠３が解錠状態になる。この他にもたとえば、停電検知回路２０での検知結果に基づいて停電が検知されるとともに、解錠センサ９での検知結果に基づいて電気錠３が解錠状態であることが検知されたときに、切替回路３２が、充電部３０から電気錠３に電力が供給可能な第２状態に切り替わり、充電部３０から電気錠３に電力が供給されて、電気錠３が施錠状態になっても良い。
【００４９】
この場合の電気錠システム１には、停電が発生して電気錠３に電力が供給されない状態になったときに電気錠３が自動的に施錠状態になるといった通電時解錠型の電気錠の利点がある。また、この場合には、上述した形態と同様に、電気錠システム１の消費電力を抑制することが可能になる。すなわち、この場合の電気錠システム１では、通電時解錠型の電気錠の利点を有しながら電気錠システム１の消費電力を抑制することが可能になる。なお、この場合には、停電検知回路２０での検知結果に基づいて停電が検知されても、施錠センサ８での検知結果に基づいて電気錠３が施錠状態であることが検知されると、切替回路３２は第１状態のままであり、電気錠３に電力は供給されない。
【００５０】
上述した形態では、受電コイル１４と充電部３０とが電気的に接続されるときに、充電部３０はソレノイド７に電気的に接続され、受電コイル１４と充電部３０とが電気的に遮断されているときに、充電部３０はソレノイド７と電気的に遮断されている。この他にもたとえば、受電コイル１４と充電部３０との電気的な接続状態とは関係なく、充電部３０とソレノイド７との電気的な接続状態が切替可能になるように切替回路３２が構成されても良い。この場合には、切替回路３２が第１状態であるときに、受電コイル１４と電気錠３とが電気的に接続されるとともに電気錠３と充電部３０とが電気的に遮断され、切替回路３２が第２状態であるときに、電気錠３と充電部３０とが電気的に接続されている。
【００５１】
上述した形態では、充電部３０は、切替回路３２を介して受電コイル１４に接続されているが、充電部３０は、切替回路３２を介さずに受電コイル１４に接続されても良い。この場合には、たとえば、充電部３０と受電コイル１４とが電気的に接続される状態と充電部３０と受電コイル１４とが電気的に遮断される状態とに接続状態を切り替える切替回路が充電部３０と受電コイル１４との間に配置される。また、上述した形態では、充電部３０の充電が完了すると、受電コイル１４と充電部３０とが電気的に遮断されているが、充電部３０の充電が完了した後に、受電コイル１４と充電部３０とが電気的に接続されていても良い。
【００５２】
上述した形態では、電気錠３は、デッドボルトを駆動する駆動源としてソレノイド７を備えているが、電気錠３は、デッドボルトを駆動する駆動源としてモータを備えていても良い。すなわち、電気錠３は、モータ施解錠型の電気錠であっても良い。この場合であっても、上述した形態と同様に電気錠３が解錠状態から施錠状態にまたは施錠状態から解錠状態に切り替わるときに、電気錠３に電力が供給され、解錠状態から施錠状態への切替後または施錠状態から解錠状態への切替後には、電気錠３への電力の供給が停止されている。また、この場合には、電気錠３が施錠状態から解錠状態になるまでモータを回転させるために必要な電力が充電部３０に充電される。この場合であっても、上述した形態と同様の効果を得ることができる。
【００５３】
上述した形態では、停電を検知するための停電検知回路２０を給電部１３が備えているが、停電を検知するための停電検知回路をシステム制御部５または受電部１５が備えていても良い。また、上述した形態では、電気錠システム１は、扉２が開かないように扉２をロックするためのシステムであるが、電気錠システム１は、引き戸、窓あるいは雨戸等の扉２以外の建具が開かないように建具をロックするためのシステムであっても良い。
【００５４】
上述した形態では、磁界結合方式によって、給電コイル１２から受電コイル１４へ電力が伝送されているが、電磁誘導方式等の他の方式によって、給電コイル１２から受電コイル１４へ非接触で電力が伝送されても良い。また、上述した形態では、給電装置４は、非接触電力伝送によって電気錠３に電力を供給しているが、給電装置４は、所定の配線を介して切替回路３２に接続される電源を用いて電気錠３に電力を供給しても良い。この場合には、配線を介して切替回路３２に接続される電源が、電気錠３および充電部３０に電力を供給するための電力供給部となる。
【符号の説明】
【００５５】
１  電気錠システム
３  電気錠
８  施錠センサ（施錠検知部）
９  解錠センサ（解錠検知部）
１２  給電コイル
１４  受電コイル（電力供給部）
２０  停電検知回路（停電検知部）
２３  電源
３０  充電部
３１  充電検知回路（充電検知部）
３２  切替回路（切替部）
【図１】
0006487223.tif 000002
【図２】
0006487223.tif 000003